(57)【要約】【課題】オープンキッチン用の間仕切り壁を廃止し、フローリングが完成した後に立設でき、フロアキャビネットと一体化されるオープンキッチン用仕切りユニットを提供する。【解決手段】本発明によるオープンキッチン用仕切りユニットは、複数の箱形の枠体と、調理されたものが戴置されるカウンターボードと、正面側を覆う正面化粧パネルと、前記カウンターボードのキッチン側に設けられる不燃ボードと、一側面に設けられるサイドパネルとで構成され、流し台、ガス台、調理台からなるフロアキャビネットと連結される。【選択図】図１
2006334114.tif 000002
【特許請求の範囲】
【請求項１】
複数の箱形の枠体と、調理されたものが戴置されるカウンターボードと、正面側を覆う正面化粧パネルと、前記カウンターボードのキッチン側に設けられる不燃ボードと、一側面に設けられるサイドパネルとで構成され、流し台、ガス台、調理台からなるフロアキャビネットと連結されることを特徴とするオープンキッチン用仕切りユニット。
【請求項２】
前記枠体は、横幅が単位長さの整数倍を有し、それぞれ異なる横幅の複数種類が用意されるとともに、前記オープンキッチンの横幅が前記複数種類の枠体の組み合わせで構成されることを特徴とする請求項１に記載のオープンキッチン用仕切りユニット。
【発明の詳細な説明】
【技術分野】
【０００１】
本発明は、流し台、ガス台、調理台で構成されるフロアキャビネットの背面に設けられ、据付工事が容易なオープンキッチン用仕切りユニットに関する。
【背景技術】
【０００２】
オープンキッチンは、台所とリビングやダイニングが天井に届く壁で仕切られない作りのことで、流し台、ガス台、調理台などから構成されるフロアキャビネットがリビングやダイニングから見えるように配置される。そのため調理されたものがフロアキャビネット越しに受け渡しでき、また、部屋が広く見える効果もあって、マンションなどに広く採用されている。
【０００３】
このようなオープンキッチンは、台所とリビングやダイニングの間に高さ１ｍ程度の間仕切り壁が設けられ、これに沿ってフロアキャビネットが設置される。間仕切り壁の工事は、一端を部屋の間柱（壁を作るために設けられた柱）に固定するため、造作工事（柱、天井などの木材を使用する仕上げ工事）に合わせて行なう必要があった。また、床の下地材が敷設された段階で、事前にキッチン用の下地合板を敷く捨て張り工事を行なう。その後フロアキャビネットを設置する。最後に、床の仕上げであるフローリング工事と壁の仕上げであるクロス工事を実施するので、時間のかかるものであった。
【０００４】
現在のフロアキャビネットは、家具と同じようにユニット化が進み、流し台、ガス台、調理台の形で置くだけのものに変わってきている。このような流れに沿って、オープンキッチン設置用の間仕切り壁にも工事期間短縮が求められている。
【特許文献１】特開平７−２０４０３９号公報
【発明の開示】
【発明が解決しようとする課題】
【０００５】
本発明は上記問題点を解決するためになされたもので、その目的は、オープンキッチン用の間仕切り壁を廃止し、フロアキャビネットと一体化されるオープンキッチン用仕切りユニットを提供することにある。
【課題を解決するための手段】
【０００６】
本発明によるオープンキッチン用仕切りユニットは、複数の箱形の枠体と、調理されたものが戴置されるカウンターボードと、正面側を覆う正面化粧パネルと、前記カウンターボードのキッチン側に設けられる不燃ボードと、一側面に設けられるサイドパネルとで構成され、流し台、ガス台、調理台からなるフロアキャビネットと連結されることを特徴とする。
【０００７】
前記枠体は、横幅が単位長さの整数倍を有し、それぞれ異なる横幅の複数種類が用意されるとともに、前記オープンキッチンの横幅が前記複数種類の枠体の組み合わせで構成されることが好ましい。
【発明の効果】
【０００８】
請求項１のオープンキッチン用仕切りユニットによれば、フローロング工事の前に行なうキッチンとダイニングまたはリビングとを仕切る間仕切り壁の工事が必要ない。そのためフローリングはオープンキッチンの設置領域を気にせず作業できるので作業性が向上する。また、この仕切りユニットは、カウンターの部分が仕切り部となって、フローリング後に設置されるから、オープンキッチンの設置を一業者で進めることができる。フロアキャビネットの下もフローリングされているから、直接見えない箇所もきれいな仕上げにできる。
【０００９】
請求項２によれば、オープンキッチン用仕切りユニットの枠体は、その横幅が単位長さ、実施例では１５０ｍｍであるが、その整数倍で構成され、それぞれ異なる横幅の複数種類、実施例では６００ｍｍ、７５０ｍｍ、９００ｍｍの３種類を用意したので、この組み合わせでオープンキッチンの横幅を構成できる。そのためユーザの要望に沿ったオープンキッチンのサイズに即応できる。
【発明を実施するための最良の形態】
【００１０】
本発明の実施例を図面によって詳細に説明する。
【実施例１】
【００１１】
図１は、本発明による仕切りユニットが組み込まれたオープンキッチンをキッチン側から見た外観図である。オープンキッチン１００は、仕切りユニット１にフロアキャビネット４が連結されたものである。仕切りユニット１は、サイドパネル２を含む。オープンキッチン１００の一方の側部には、このサイドパネル２が取り付けられ、他方の側部は部屋の壁面に接して設置される。仕切りユニット１の上部は調理したものを受け渡すカウンターボード３がある。フロアキャビネット４は、流し台５となるユニットや、調理台６などからなる。また、各フロアキャビネットには、複数の収納用の引き出し７が設けられる。
【００１２】
図２は、図１のオープンキッチンをリビングまたはダイニング側から見た外観図である。仕切りユニット１の正面側には正面化粧パネル８が設けられる。正面化粧パネル８は、様々な仕上げを施すことができる。例えば、ポリエステル塗装の１種で、厚塗りができ、光沢があり、硬度もあり、摩擦や汚れにも強いピアノ塗装を施すことができる。オープンキッチン１００は、キッチン側で調理されたものがカウンターボード３を介してリビングまたはダイニング側に受け渡しできる。
【００１３】
図３は、図２のＡ−Ａ線に沿って切断したオープンキッチンの断面図である。仕切りユニット１は、枠体１５と、カウンターボード３と、不燃ボード１２と、正面化粧パネル８を含む。枠体１５は、自立可能な箱形で、枠体１５のキッチン側にフロアキャビネット４が連結される。枠体１５は、上部にアルミ製のカウンターボード３が冠せられる。カウンターボード３は、上部部材３ａと該上部部材３ａのキッチン側に取り付けられる下部部材３ｂからなる。不燃ボード１２が、カウンターボードの下部部材３ｂの下側に、水平と垂直の両方向に渡って２重に貼り付けられる。枠体１５のリビングまたはダイニング側に正面化粧パネル８が取り付けられる。枠体１５は、箱形で、キッチン側は開放されており、正面と上部は、厚さ３ｍｍのＭＤＦ１０で構成している。ＭＤＦ（Ｍｉｄｉｕｍ  Ｄｅｎｃｉｔｙ  Ｆｉｂｅｒ  Ｂｏａｒｄ）は木材チップを繊維状にして接着剤を混合した中比重繊維板である。側面と底面はＬＶＬ１１で構成している。ＬＶＬ（Ｌａｍｉｎａｔｅｄ  Ｖｅｎｅｅｒ  Ｌａｍｂｅｒ）は単板積層材である。さらに梁９を内部に設けて補強している。仕切りユニット１は、高さが約１ｍ、底部での幅は約２００ｍｍである。
【００１４】
図４は、本発明によるオープンキッチンの構成例である。（ａ）は、流し台５、調理台６、コンロ台１３からなる横幅２７００ｍｍのオープンキッチン１００の正面図である。（ｂ）は、この横幅２７００ｍｍのオープンキッチン１００を構成する枠体の正面図であり、２個の枠体１５ａ（横幅６００ｍｍ）と２個の枠体１５ｂ（横幅７５０ｍｍ）の計４個で構成した。（ｃ）は、３個の枠体１５ｃ（９００ｍｍ）で構成した。すなわち、枠体１５は、３種の横幅が６００ｍｍ、７５０ｍｍ、９００ｍｍが用意され、これらの組み合わせでオープンキチン１００を構成するようにした。ここでは単位長さを１５０ｍｍとして、４倍、５倍、６倍の横幅を持つ３種類の枠体１５を用意したから、オープンキッチンの全体の横幅をこの単位長さ刻みで指定することができる。オープンキッチン１００の横幅が２７００ｍｍの場合、上記のように（ｂ）、（ｃ）どちらでも実現できるが、（ｃ）の方が接続の手間は少ない。このような構成方法によれば、オープンキッチン１００の全横幅が２１００ｍｍの場合、枠体１５の横幅６００ｍｍが２個と横幅９００ｍｍが１個で構成し、全横幅が２２５０ｍｍの場合、枠体１５の横幅６００ｍｍが１個と横幅７５０ｍｍが１個と横幅９００ｍｍが１個で構成し、全横幅が２４００ｍｍの場合、枠体１５の横幅６００ｍｍが１個と横幅９００ｍｍが２個で構成し、全横幅が２５５０ｍｍの場合、枠体１５の横幅９００ｍｍが２個と横幅７５０ｍｍが１個で構成し、全横幅が３０００ｍｍの場合、枠体１５の横幅７５０ｍｍが２個と横幅６００ｍｍが１個と横幅９００ｍｍが１個で構成し、全横幅が３３００ｍｍの場合、枠体１５の横幅９００ｍｍが３個と横幅６００ｍｍが１個で構成できるから、その他の場合も含めて各種のサイズに対応できる。
【００１５】
図５は、オープンキッチンの据付工事の手順を示すフローチャートである。オープンキッチン１００は、ステップ２０、２１に示すようにクロス工事（壁紙などによる壁の仕上げ工事）とフローリング工事（床の最終仕上げ工事）が完了してから行なう。フローリングが完了すると、オープンキッチン１００の設置場所に墨出し（ステップ２２）を行なう。次に、複数の枠体１５を墨出しに沿って設置する。そして、枠体１５の内側からＬＶＬを介して床にビス固定する。また、枠体１５の隣同士を同様にＬＶＬを介してビス固定する（ステップ２３）。
【００１６】
次に、枠体１５のキッチン側に不燃ボード１２を接着剤で２重に貼る（ステップ２４）。そうしておいて、流し台５、調理台６、コンロ台１３などで構成されるフロアキャビネット４を連結し、枠体１５の下地に、フロアキャビネットの内側からビス固定する（ステップ２５）。また、アルミ製のカウンターボード３の上部部材３ａを仮設置し、仕切りユニット１としての通りを押さえる（ステップ２６）。
【００１７】
続いて、サイドパネル２を設置し、フロアキャビネット４の内側および枠体１５の内側からビス固定する（ステップ２７）。また、カウンターボード３の上部部材３ａを枠体１５にビス固定し、下部部材３ｂを不燃ボード１２に接着剤で固定する（ステップ２８）。最後に、正面化粧パネル８を両面テープと接着剤で取り付ける。正面化粧パネル８は、横幅が５９９ｍｍ、７４９ｍｍ、８９９ｍｍの３種が用意されているので、オープンキッチン１００の横幅に合わせて選択し取り付けられる（ステップ２９）。
【産業上の利用可能性】
【００１８】
本発明は、オープンキッチンの仕切り壁工事が不要で、フロアキャビネットと一体化できる仕切りユニットを提供するもので、マンションやアパートなどをはじめ一般住宅用のオープンキッチンに好適である。
【図面の簡単な説明】
【００１９】
【図１】本発明による仕切りユニットが組み込まれたオープンキッチンで、キッチン側から見た外観図である。（実施例１）
【図２】図１のオープンキッチンをリビングまたはダイニング側から見た外観図である。
【図３】図２のＡ−Ａ線で切断したオープンキッチンの断面図である。
【図４】本発明によるオープンキッチンの構成例である。（ａ）は横幅２７００ｍｍのオープンキッチン１００の正面図、（ｂ）はこのオープンキッチン１００を２個の枠体１５ａと、２個の枠体１５ｂで構成した例、（ｃ）はこのオープンキッチン１００を３個の枠体１５ｃで構成した例である。
【図５】本発明によるオープンキッチンの据付工事の手順を示すフローチャートである。
【符号の説明】
【００２０】
１    仕切りユニット
２    サイドパネル
３    カウンターボード
３ａ    カウンターボードの上部部材
３ｂ    カウンターボードの下部部材
４    フロアキャビネット
５    流し台
６    調理台
７    引き出し
８    正面化粧パネル
９    梁
１０    ＭＤＦ
１１    ＬＶＬ
１２    不燃ボード
１３    コンロ台
１５    枠体
１５ａ    枠体（横幅６００ｍｍ）
１５ｂ    枠体（横幅７５０ｍｍ）
１５ｃ    枠体（横幅９００ｍｍ）
２０〜２９    据付工事の手順を示すステップ
１００    オープンキッチン
【図１】
2006334114.tif 000003
【図２】
2006334114.tif 000004
【図３】
2006334114.tif 000005
【図４】
2006334114.tif 000006
【図５】
2006334114.tif 000007